(57)【要約】      （修正有）【課題】個人ＩＤに対応したサービスを行う場合に、個人ＩＤを識別するための待ち時間を短縮することができるエレベータシステムを得る。【解決手段】サービスサーバ２には、個人ＩＤに対応するエレベータサービス情報が格納されている。サービスサーバ２は、個人ＩＤ入力装置４から受信した個人ＩＤに応じてエレベータサービス情報の抽出と利用者の認証とを行う。そして、サービスサーバ２は、抽出したエレベータ制御装置１へと送信する。また、複数のサービスサーバ２は、サービス管理サーバ５と接続され、エレベータサービス情報を含むサービスサーバ２内の情報の管理をサービス管理サーバ５から受ける。【選択図】図１
2006327810.tif 000002
【特許請求の範囲】
【請求項１】
対応するエレベータの運行をそれぞれ制御する複数のエレベータ制御装置、
個人ＩＤと、個人ＩＤに対応したエレベータサービスの情報であるエレベータサービス情報とが登録され、個人ＩＤの入力に応じて対応するエレベータサービス情報を上記エレベータ制御装置へ送る複数のサービスサーバ、及び
上記サービスサーバに通信可能に接続され、上記サービスサーバが保持する情報を上記サービスサーバ毎に対応させてサービス管理情報として保持し、上記サービスサーバを一括に管理するサービス管理サーバ
を備えることを特徴とするエレベータシステム。
【請求項２】
上記サービスサーバは、上記サービスサーバ毎に付された固有の識別子である固有ＩＤを個別に保持し、上記サービス管理サーバは、固有ＩＤにより上記サービスサーバを識別することを特徴とする請求項１に記載のエレベータシステム。
【請求項３】
上記サービスサーバと上記サービス管理サーバとは、互いに定期的に通信し、上記サービスサーバは、上記サービス管理情報により上記サービスサーバ内の情報の変更内容を参照するとともに、上記サービスサーバ内の情報を更新することを特徴とする請求項１又は請求項２に記載のエレベータシステム。
【請求項４】
サービス管理情報が変更された際、上記サービス管理サーバは、該当する上記サービスサーバへ変更連絡を送信し、上記サービスサーバは、上記サービス管理サーバからの変更連絡に応じて上記サービス管理サーバと通信するとともに、サービス管理情報の変更内容を参照し、上記サービスサーバ内の情報を更新することを特徴とする請求項１〜請求項３のいずれかに記載のエレベータシステム。
【請求項５】
サービス管理情報が変更された際、上記サービス管理サーバは、該当する上記サービスサーバと通信し、上記サービスサーバ内の情報の更新に必要な情報を送信し、上記サービスサーバ内の情報の更新することを特徴とする請求項１〜請求項３のいずれかに記載のエレベータシステム。
【発明の詳細な説明】
【技術分野】
【０００１】
この発明は、個人ＩＤに対応したサービスを行うエレベータシステムに関するものである。
【背景技術】
【０００２】
従来の個人ＩＤに対応したサービスを行うエレベータシステムでは、エレベータの利用者の資格情報としての個人ＩＤと、個人ＩＤに対応したサービス情報とを、建物の外部のセンタ内に設置されたサービス管理サーバで管理している。また、このサービス管理サーバは、複数の建物のエレベータの個人ＩＤとサービス情報とを一括に管理している。利用者は、個人ＩＤを記憶した個人情報端末を用いて個人ＩＤをサービス管理サーバへと送信し、サービス管理サーバの認証後に、サービス情報に登録されたエレベータサービスを受けている（例えば、特許文献１参照）。
【０００３】
【特許文献１】特開２００２−２４９２８４号公報
【発明の開示】
【発明が解決しようとする課題】
【０００４】
上記のような従来のエレベータシステムでは、利用者は、エレベータを利用する度に、外部のサービス管理サーバの認証を受けているため、サービス管理サーバの反応時間、及びエレベータシステムと外部のセンタとの通信時間によってサービス管理サーバの認証までの待ち時間が長くなるという問題があった。
【０００５】
この発明は、上記のような課題を解決するためになされたものであり、個人ＩＤに対応したサービスを行う場合に、個人ＩＤを識別するための待ち時間を短縮することができるエレベータシステムを得ることを目的とする。
【課題を解決するための手段】
【０００６】
この発明に係るエレベータシステムは、対応するエレベータの運行をそれぞれ制御する複数のエレベータ制御装置、個人ＩＤと、個人ＩＤに対応したエレベータサービスの情報であるエレベータサービス情報とが登録され、個人ＩＤの入力に応じて対応するエレベータサービス情報を上記エレベータ制御装置へ送る複数のサービスサーバ、及び上記サービスサーバに通信可能に接続され、上記サービスサーバが保持する情報を上記サービスサーバ毎に対応させてサービス管理情報として保持し、上記サービスサーバを一括に管理するサービス管理サーバを備えたものである。
【発明の効果】
【０００７】
この発明のエレベータシステムでは、サービスサーバとサービス管理サーバとを設けたことにより、サービス管理サーバで複数のサービスサーバを一括に管理するとともに、サービスサーバがエレベータ制御装置と通信することにより、個人ＩＤに対応したサービスを行う場合に、利用者の個人ＩＤを識別するための待ち時間を短縮することができる。
【発明を実施するための最良の形態】
【０００８】
以下、この発明を実施するための最良の形態について、図面を参照して説明する。
実施の形態１．
図１は、この発明の実施の形態１によるエレベータシステムを示すブロック図である。ビルＡ及びビルＢを含む複数のビルには、エレベータ制御装置１がそれぞれ設けられている。各エレベータ制御装置１は、同一ビル内のエレベータ（図示せず）の運行を制御する。また、各ビルには、サービスサーバ２が設置されている。サービスサーバ２は、個人ＩＤに対応したエレベータサービスの情報であるエレベータサービス情報をエレベータ制御装置１へ送信するためのサーバである。
【０００９】
サービスサーバ２は、サービスデータ記憶部３を有している。サービスデータ記憶部３には、エレベータの利用者資格である個人ＩＤと、個人ＩＤに対応したエレベータサービス情報とがデータベースとして格納されている。さらに、サービスサーバ２は、サービスサーバ２毎に付された固有の識別子である固有ＩＤを保持している。サービスサーバ２は、利用者より入力された個人ＩＤを個人ＩＤ入力装置４より受信する。個人ＩＤ入力装置４には、利用者が記憶している個人ＩＤを入力するためのキーボード又はタッチパネル等が設けられている。
【００１０】
サービスサーバ２は、個人ＩＤ入力装置４から受信した個人ＩＤを基にサービスデータ記憶部３を参照し、利用者の認証と受信した個人ＩＤに対応したエレベータサービス情報の抽出とを行う。そして、サービスサーバ２は、抽出したエレベータサービス情報をエレベータ制御装置１へと送信する。
【００１１】
ビル外部のセンタ７には、複数のサービスサーバ２を一括に管理するサービス管理サーバ５が設けられている。サービス管理サーバ５は、専用回線又はインターネットを介してサービスサーバ２に接続されている。また、サービス管理サーバ５は、サービス管理データ記憶部６を有している。サービス管理データ記憶部６には、複数のサービスサーバ２の固有ＩＤと、サービスサーバ２の管理に関する情報であるサービス管理情報とがデータベースとして格納されている。
【００１２】
サービス管理情報は、サービスサーバ２内の個人ＩＤと、個人ＩＤに対応したエレベータサービス情報とを含んでいる。サービス管理サーバ５は、サービスサーバ２の固有ＩＤを基にサービス管理データ記憶部６を参照し、該当のサービスサーバ２のエレベータ管理情報を抽出する。そして、サービス管理サーバ５は、抽出されたエレベータ管理情報を変更、又は、更新情報をサービスサーバ２へ送信することにより、複数のサービスサーバ２のエレベータサービス情報と個人ＩＤとを一括に管理している。
【００１３】
ここで、更新情報は、サービス管理サーバ５により、エレベータ管理情報の中から抽出され、サービスデータ記憶部３に格納された情報の更新に必要な情報である。また、更新情報は、該当のサービスデータ記憶部３の全部の情報、又は前回の接続日時からのサービスデータ記憶部３の変更分の情報のどちらでもよい。
【００１４】
図２は、図１のサービスデータ記憶部３に格納されたデータベースの内容を示す説明図である。サービスデータ記憶部３には、エレベータサービス情報としてのエレベータ使用許可情報と乗場呼び登録階とが個人ＩＤに関連付けて格納されている。
【００１５】
図３は、図１のサービス管理データ記憶部６に格納されたデータベースの内容を示す説明図である。サービス管理データ記憶部６には、サービス管理情報として個人ＩＤ毎の最終更新日時、固有ＩＤ毎の最終接続日時、個人ＩＤ、エレベータ使用許可情報及び乗場呼び登録階情報が、固有ＩＤに関連付けて格納されている。ここで、個人ＩＤ、エレベータ使用許可情報及び乗場呼び登録階情報は、サービスデータ記憶部３に格納されたエレベータサービス情報と同一であり、固有ＩＤに関連付けて格納されている。
【００１６】
サービスサーバ２及びサービス管理サーバ５は、演算処理部（ＣＰＵ）、記憶部（ＲＯＭ、ＲＡＭ及びハードディスク等）及び信号入出力部を持ったコンピュータ（図示せず）により構成することができる。
【００１７】
次に、動作について説明する。エレベータを利用する際に利用者は、個人ＩＤ入力装置４に個人ＩＤを入力する。そして、個人ＩＤ入力装置４から個人ＩＤを受信したサービスサーバ２は、個人ＩＤを基にサービスデータ記憶部３を参照し利用者の認証とエレベータサービス情報の抽出とを行う。そして、サービスサーバ２は、抽出したエレベータサービス情報をエレベータ制御装置１へと送信する。そして、エレベータサービス情報を受けてエレベータ制御装置１は、エレベータサービス情報に応じたエレベータの制御を行う。
【００１８】
また、サービスサーバ２がサービスデータ記憶部３内に該当個人ＩＤを確認できない場合には、サービスサーバ２は、サービス管理サーバ５への問い合わせを行う。そして、問い合わせにより該当個人ＩＤが確認できたときには、サービスサーバ２は、サービス管理サーバ５からエレベータサービス情報を受けて、エレベータ制御装置１へと送信する。一方、問い合わせ後も該当個人ＩＤを確認できないときは、サービスサーバ２は、利用者を未加入者と判断する。
【００１９】
そして、サービスサーバ２は、未加入者と判断すると、サービス管理データ記憶部６内で予め設定された動作をエレベータ制御装置１に制御させる。予め設定された動作とは、例えば、利用者が直接かご呼びボタンと階床ボタンとを操作することによるエレベータの動作のみ許可すること、又はエレベータ自体の使用禁止・停止階床を制限することなどである。
【００２０】
さらに、エレベータサービスを変更・新規加入する際には、利用者がインターネットを介してサービス管理サーバ５に直接通信し申請するか、又は管理会社に申請する。そして、管理者は、申請を受けてサービス管理データ記憶部６内のサービス管理情報の変更を行う。
【００２１】
さらにまた、サービスデータ記憶部３の具体的な更新の順序については、まず、サービスサーバ２が、定期的にサービス管理サーバ５へ固有ＩＤを送信する。次に、サービス管理サーバ５は、その固有ＩＤに応じてサービス管理データ記憶部６を参照し、該当のサービスサーバ２の更新情報を抽出する。そして、サービス管理サーバ５は、サービスサーバ２へと更新情報を送る。この更新情報に応じてサービスサーバ２は、サービスデータ記憶部３の更新を行う。
【００２２】
上記のようなエレベータシステムでは、サービスサーバ２とサービス管理サーバ５とを設けたことにより、サービス管理サーバ５で複数のサービスサーバ２を一括に管理するとともに、サービスサーバ２がエレベータ制御装置１と通信することにより、個人ＩＤに対応したサービスを行う場合に、利用者の個人ＩＤを識別するための待ち時間を短縮することができる。
【００２３】
また、サービスサーバ２に固有ＩＤを付することにより、サービス管理サーバ５は、複数のサービスサーバ２をより容易に管理することができる。
【００２４】
さらに、サービスサーバ２とサービス管理サーバ５とが定期的に通信することにより、サービス管理サーバ５の管理の負荷を軽減させ、複数のサービスサーバの管理を円滑に行うことができる。
【００２５】
さらにまた、サービス管理情報更新時にサービス管理サーバ５が更新連絡をサービスサーバ２へと送信することにより、サービスサーバ２側のサービスデータを即時に更新することができる。
【００２６】
なお、エレベータサービス情報には、かご呼出時の戸開放時間の変更、戸開閉速度の変更、及び音声アナウンスの変更等を含めてもよい。また、サービス管理情報には、エレベータの運行に関わる設定を含めてもよい。例えば、エレベータの運行に関わる設定は、直行運転等の利用許可時間やサービス許可時間等である。
【００２７】
また、実施の形態１では、利用者が記憶している個人ＩＤを直接入力する個人ＩＤ入力装置４を示したが、個人ＩＤ入力装置は、他機器との通信接続可能な携帯端末でもよい。例えば、携帯端末は、携帯電話、ＰＨＳ（ＰｅｒｓｏｎａｌＨａｎｄｙｐｈｏｎＳｙｓｔｅｍ）、ＰＤＡ（ＰｅｒｓｏｎａｌＤｉｇｉｔａｌＡｓｓｉｓｔａｎｃｅ）又はノートパソコン等である。ここで、携帯端末の具体的な使用方法としては、例えば、事前に携帯端末に個人ＩＤを記憶させ、サービスサーバ２との通信接続を行い、個人ＩＤを送信する方法がある。
【００２８】
また、個人ＩＤ入力装置は、個人ＩＤを記録させた鍵、カード及びＩＣタグ等の読み込み装置でもよい。さらに、個人ＩＤ入力装置は、指紋、静脈、声紋及び虹彩等の生体の特徴を読み取る装置でもよい。
【００２９】
さらにまた、サービスデータ記憶部３の更新時期は、実施の形態１では、定期的に更新しているが、不定期にサービスサーバからサービス管理サーバに接続してもよい。例えば、サービス管理情報が更新された際にサービス管理サーバは、該当のサービスサーバに対して更新連絡を送る。そして、サービスサーバは、この更新連絡に応じてサービス管理サーバへと固有ＩＤを送信する。サービス管理サーバは、その固有ＩＤに応じて、該当のサービスサーバへと更新情報を送信する。
【００３０】
また、実施の形態１のサービスデータ記憶部３の更新時のサービス管理サーバ５との接続方法は、サービスサーバ２からサービス管理サーバ５へと接続しているが、サービス管理サーバから各サービスサーバのそれぞれに対して、定期的・不定期に接続を行いサービスサーバ内の情報の更新を行ってもよい。
【図面の簡単な説明】
【００３１】
【図１】この発明の実施の形態１によるエレベータシステムを示すブロック図である。
【図２】図１のサービスサーバ内に保有されるデータベースとしてのサービスデータ記憶部を示す説明図である。
【図３】図１のサービス管理サーバ内に保有されるデータベースとしてのサービス管理データ記憶部を示す説明図である。
【符号の説明】
【００３２】
１  エレベータ制御装置、２  サービスサーバ、５  サービス管理サーバ。
【図１】
2006327810.tif 000003
【図２】
2006327810.tif 000004
【図３】
2006327810.tif 000005